(57)【特許請求の範囲】
【請求項１】
隣接する噴孔間距離が５〜７０ｍｍである３〜１０個の噴孔が配設されてなり、少なくとも１つの噴孔から噴出する噴霧の噴霧角度が、他の噴孔から噴出する噴霧の噴霧角度と相違するように噴孔が配設されてなる液体噴霧用ノズルであって、中心部分に配置された噴孔の外側に、該噴孔よりも外側に向けての噴霧角度が大きい噴孔を配設してなる、液体噴霧用ノズル。
【請求項２】
噴孔から噴出する噴霧の噴霧角度がたがいに相違する請求項１記載の液体噴霧用ノズル。
【請求項３】
噴孔から噴出する噴霧の噴出方向へ２０ｃｍ離れた位置における噴霧面積が３０ｃｍ2 以上となるように配設された噴孔を有する請求項１または２記載の液体噴霧用ノズル。
【請求項４】
請求項１〜３いずれか記載の液体噴霧用ノズルを有する液体噴霧容器。
【請求項５】
手押しスプレー型またはエアゾール型である請求項４記載の液体噴霧容器。
【請求項６】
その内容物が、殺虫剤、害虫忌避剤、殺菌剤、消臭剤、芳香剤および塗料からなる群より選ばれた少なくとも１種である請求項４又は５記載の液体噴霧容器。
【請求項７】
請求項４〜６いずれか記載の液体噴霧容器を用いて噴霧する噴霧方法。
【発明の詳細な説明】
【０００１】
【発明の属する技術分野】
本発明は、液体噴霧用ノズル、それを有する液体噴霧容器、およびそれを用いた噴霧方法に関する。
【０００２】
【従来の技術】
液体噴霧容器のノズルには、従来、噴孔が１つ設けられたものが使用されている（実開昭５９−１７６６６７号公報など）。
【０００３】
しかしながら、この液体噴霧容器は、噴孔が１つだけ設けられたものであるため、噴霧範囲が非常に狭く、広範囲に噴霧することができないという欠点のみならず、その噴霧の中心部分の噴霧量が多くなり、その外部に広がるにつれて噴霧量が著しく減少するため、噴霧領域での噴霧濃度の分布に大きなバラツキを生じるという欠点がある。
【０００４】
【発明が解決しようとする課題】
本発明は、前記従来技術に鑑みてなされたものであり、噴霧領域での噴霧濃度の分布のバラツキが生じがたく、その内容物を広範囲にわたって容易に噴霧することができる液体噴霧用ノズル、それを有する液体噴霧容器、およびそれを用いた噴霧方法を提供することを目的とする。
【０００５】
【課題を解決するための手段】
即ち、本発明は、
（１）  隣接する噴孔間距離が５〜７０ｍｍである３〜１０個の噴孔が配設されてなり、少なくとも１つの噴孔から噴出する噴霧の噴霧角度が、他の噴孔から噴出する噴霧の噴霧角度と相違するように噴孔が配設されてなる液体噴霧用ノズルであって、中心部分に配置された噴孔の外側に、該噴孔よりも外側に向けての噴霧角度が大きい噴孔を配設してなる、液体噴霧用ノズル。、
（２）  前記液体噴霧用ノズルを有する液体噴霧容器、および
（３）  前記液体噴霧容器を用いて噴霧する噴霧方法
に関する。
【０００６】
【発明の実施の形態】
本発明の液体噴霧用ノズルには、前記したように、複数の噴孔が配設されている。したがって、本発明の液体噴霧用ノズルを用いた場合には、噴霧領域での噴霧濃度の分布のバラツキが生じがたく、液体を噴霧領域全体にわたって容易に噴霧することができるという優れた効果が発現される。
【０００７】
噴孔の開口部の形状は、円形、楕円形、三角形、四角形などがあげられるが、本発明はかかる形状に限定されるものではない。一般的には、その形状は、円形であることが均一塗布の観点から好ましい。
【０００８】
噴孔の直径（噴孔径）については特に限定がなく、本発明の液体噴霧用ノズルの用途に応じて適宜決定すればよい。通常、該噴孔径は、０．１〜２ｍｍ程度、なかんづく０．２〜１．５ｍｍ程度であることが好ましい。
【０００９】
噴孔の数は、本発明の液体噴霧用ノズルの用途などに応じて適宜決定すればよく、特に限定がない。その一例として、例えば、本発明の液体噴霧用ノズルを殺虫エアゾールなどの液体噴霧装置に使用し、飛遊しているハエなどの飛行速度が高い害虫などを退治する場合には、２〜１０個程度であることが好ましい。また、噴孔の配列は、噴霧領域で容易に液体を噴霧することができればよく、特に限定がない。例えば、該噴孔は、一直線状、波線状あるいは曲線状に一列あるいは二〜三列に配列されていてもよく、円形、三角形状、四角形状、Ｘ形状、十字形状などに配列されていてもよい。
【００１０】
隣接する噴孔間距離（噴孔間隔）は、配設される噴孔の数などによって異なるので一概には決定することができないが、一般的には、大きいほど均一噴霧することができるようになるが、あまりにも大きい場合には、隣接する噴孔から噴出された噴霧パターン間に間隙が生じるので、通常、５〜１００ｍｍ程度、なかんづく５〜７０ｍｍ程度であることが好ましい。また、両末端の噴孔間距離も、配設される噴孔の数などによって異なるので一概には決定することができないが、液体噴霧装置の小型化を図る観点から、５〜２５０ｍｍ程度、なかんづく１０〜２００ｍｍ程度とすることが好ましい。
【００１１】
本発明においては、少なくとも１つの噴孔から噴出する噴霧と、他の噴孔から噴出する噴霧との間の噴霧角度が相違するようにノズルに噴孔が配設されていること、特に、各噴孔における噴霧角度がそれぞれたがいに相違していることが、噴霧領域全体にわたって均一に噴霧する観点から好ましい。例えば、噴霧を所望の領域内で均一に噴射する場合、中心部分に配置された噴孔からその外部に向けて噴霧角度が大きい噴孔を順次配設すると、噴霧領域における噴霧状態を均一にすることができるという利点がある。また、噴霧を所望の狭い領域にのみ噴射する場合、中心部分に配置された噴孔からその外部に向けて噴霧角度が小さい噴孔を順次配設すると、噴霧領域における噴霧の集束状態が非常に良好になるという利点がある。
【００１２】
なお、本明細書にいう噴霧角度とは、図１４に示されるように、隣り合う噴孔１ａ、１ｂの中心を結ぶ断面において、ノズル２のノズル面（噴孔面）に対する垂線ａと、各噴孔１ａまたは１ｂの中心線ｂとの間の角度α1 、α2 をいう。なお、各噴孔１ａ、１ｂから噴射される噴霧をノズル面の中心部における垂直な延長線に向けて集束させるように形成された噴孔の噴霧角度（鋭角）を正とし、また噴霧を当該延長線より拡散させるように形成された噴孔の噴霧角度（鋭角）を負とする。例えば、図１４に示されるノズル２においては、噴霧角度α1 が正であり、噴霧角度α2 が負となる。
【００１３】
噴霧角度を調整する方法としては、例えば、噴孔の内面角度を調整する方法、噴孔が設けられているノズル面を曲面とする方法などがあげられるが、本発明はかかる方法のみに限定されるものではない。後者の方法を採用する場合、ノズル面を凸面としたときには、噴孔から噴出される噴霧を外部へ向けて拡散させることができ、またノズル面を凹面としたときには、噴孔から噴出される噴霧を中心部に集束させることができる。
【００１４】
また、ノズルに配設される噴孔は、該噴孔から噴霧方向へ２０ｃｍ離れた位置における噴霧面積が３０ｃｍ2 以上となるように配設することが、塗布面積が大きい被塗物を短時間で容易に噴霧塗布することができるので好ましい。
【００１５】
本発明の液体噴霧容器は、前記液体噴霧用ノズルを有するものである。液体噴霧容器の形態は、手押しスプレー型およびエアゾール型のいずれであってもよい。前記手押しスプレー型およびエアゾール型の液体噴霧容器のノズル以外の部分は、一般に使用されているものであればよく、特に限定がない。
【００１６】
本発明の液体噴霧容器の内容物としては、殺虫剤、害虫忌避剤、殺菌剤、消臭剤、芳香剤、塗料などがあげられ、これらは単独でまたは２種以上を混合して用いることができる。また、エアゾール型の液体噴霧容器の場合には、例えば、ジメチルエーテル、液化石油ガス、ブタンなどの噴射剤が用いられる。
【００１７】
前記内容物における液体担体としては、例えば、水；メチルアルコール、エチルアルコール、エチレングリコールなどのアルコール類；アセトン、メチルエチルケトン、シクロヘキサンなどのケトン類；エチルエーテル、ジオキサン、テトラヒドロフラン、ブチルセルソルブなどのエーテル類；トルエン、キシレン、ベンゼン、ソルベントナフサ、シクロヘキサン、メチルナフタレンなどの芳香族炭化水素；ケロシンなどの脂肪族炭化水素；エステル類；ニトロ類などがあげられるが、本発明はかかる例示のみに限定されるものではない。
【００１８】
以下に本発明の液体噴霧用ノズルを有する液体噴霧容器を図面に基づいて説明するが、本発明はかかる態様のみに限定されるものではない。
【００１９】
図１〜９および図１１は、本発明のエアゾール型の液体噴霧容器４のノズル２が配設された部分における概略説明図である。
【００２０】
図１には、４個の噴孔１が一列に配設された楕円形状の噴孔面を有するノズル２が押釦３に設けられたエアゾール型の液体噴霧容器４が示されている。
【００２１】
図１においては、噴孔１が４個設けられているが、本発明はかかる噴孔１の数に限定されるものではなく、例えば、１〜２個であってもよく、あるいは５個以上であってもよい。
【００２２】
また、図１に示されたノズル２では、噴孔１は、一列に配設されているが、例えば、図２に示されるように、二列に配列されていてもよく、図３に示されるように、十字状に配列されていてもよい。
【００２３】
図１に示されたノズル２を回転自在に押釦３に配設した場合、例えば、図４に示されるように、該ノズル２を回転させることにより、噴孔１から噴出される噴霧形状を被塗物における塗布形状に応じて適宜調整することができるという利点がある。なお、噴孔１から噴出する噴霧の噴霧角度は、それぞれ外部へ向けて相違するように設定した場合には、広範囲にわたって噴霧することが可能となる。
【００２４】
図５には、噴孔１が２個一列に配設された噴孔面を有するノズル２が四角柱状の押釦３に設けられたエアゾール型の液体噴霧容器４が示されている。ノズル２に配設された上側の噴孔１が上方向に、下側の噴孔１が下方向に噴霧されるように配設した場合には、広範囲に噴霧することができ、また上側の噴孔１が下方向に、下側の噴孔１が上方向に噴霧されるように配設した場合には、噴霧の焦点を絞って噴霧することができる。
【００２５】
なお、押釦３の形状は、図５に示されるような四角柱状に限らず、例えば、図６に示されるように、円柱状であってもよく、あるいは図７に示されるように、三角柱状であってもよい。また、配設されている噴孔１においては、図８〜９に記載されているように、ノズル管６が噴孔面から突出していてもよい。
【００２６】
図１０は、図５に示される押釦３の内部形状の概略説明図である。図１０（ａ）に示される押釦３の内部形状においては、液体噴霧容器の内容物を噴孔１に導通するための導通孔５が一方向に向かって分岐しているので、例えば、図１０（ｂ）に示されるように、導通孔５が二方向に向かって分岐している場合と対比して、該内容物を噴孔１から勢いよく噴出させることができるという利点がある。
【００２７】
図１１には、噴孔１が２個配設されたノズル２が押釦３に設けられたエアゾール型の液体噴霧容器４が示されている。
【００２８】
図１１において、ノズル２を液体噴霧容器４内に充填された噴射剤の噴出力を利用して回転しうるように配設した場合には、ノズル２が回転して円形の弧を描くので、均一な円形の噴霧形態を得ることがきるという利点がある。
【００２９】
図１２〜１３は、本発明の手押しスプレー型の液体噴霧容器８のノズル２が配設された部分における概略説明図である。
【００３０】
図１２には、噴孔１が２個一列に配設された楕円形状の噴孔面を有するノズル２が噴霧ヘッド７に配設された手押しスプレー型の液体噴霧容器８が示されている。ノズル２に配設された右側の噴孔１が右方向にまた左側の噴孔１が左方向に噴霧されるように配設した場合には、広範囲に噴霧することができ、また右側の噴孔１が左方向に左側の噴孔１が右方向に噴霧されるように配設した場合には、噴霧の焦点を絞って噴霧することができる。
【００３１】
また、噴霧ヘッド７に設けられたノズル２を回転自在とした場合には、例えば、図１３に示されるように、液体噴霧容器８自体を傾けずに、該ノズル２を回転させるだけで、被塗物の塗布面の形態に応じた所望の噴霧形態を得ることができる。
【００３２】
本発明の液体噴霧容器は、複数の噴孔１が配設された液体噴霧用ノズル２を有するので、内容物を広範囲にわたって容易に噴霧することができる。また、少なくとも１つの噴孔１から噴出する噴霧の噴霧角度が、他の噴孔１から噴出する噴霧の噴霧角度と相違するように噴孔１が配設されている場合、特に噴孔１から噴出する噴霧の噴霧角度が外部方向へたがいに相違する場合、より一層、内容物を広範囲にわたって容易に噴霧することができる。
【００３３】
【実施例】
次に、本発明を実施例に基づいてさらに詳細に説明するが、本発明はかかる実施例のみに限定されるものではない。
【００３４】
実施例１
内容量が３００ｍｌのエアゾール容器を用意し、その内容物として、ペルメトリン、ケロシンおよび噴射剤（ジメチルエーテル）を充填し、内圧を０．８ＭＰａ・Ｇ（３５℃）に調整した。
【００３５】
次に、このエアゾール容器の開口部に、ステムおよびノズルを取り付けた。なお、ノズルとして、噴孔径０．３ｍｍの噴孔が表１に示す数および間隔で、中心からの角度となるように調整された噴霧面が平面のものを使用した。
なお、各噴孔は、表１〜２中、▲１▼、▲２▼・・・の順に直線状に配列し、噴霧角度は、中心部の噴孔に対して外部へ向けて広がる方向における角度を示す。
【００３６】
ノズル特性として、塗布パターンおよび噴霧の広がりを以下のようにして調べた。その結果を表１〜２に示す。
【００３７】
〔塗布パターンおよび噴霧の広がり〕
エアーゾール容器から、内容物を２０ｃｍ離れた垂直板面に塗布し、その塗布面に塗布された部分の最大直径を測定し、これを塗布パターン（ＳＰ）とする。
次に、このＳＰにより、以下の評価基準に基づいて噴霧の広がりを評価する。
【００３８】
（噴霧の広がりの評価基準）
◎：１５０≦ＳＰの場合
○：１００≦ＳＰ＜１５０の場合
△：７５≦ＳＰ＜１００の場合
×：ＳＰ＜７５の場合
【００３９】
【表１】
0004410337.tif 000002
【００４０】
【表２】
0004410337.tif 000003
【００４１】
表１〜２に示された結果から、噴孔数が２以上であり、噴孔間隔が広い液体噴霧容器は、塗布パターンが良好であり、噴霧を広げるものであることがわかる。
【００４２】
【発明の効果】
本発明の液体噴霧用ノズルは、内容物を広範囲にわたって容易に噴霧することができる。本発明の液体噴霧容器は、前記液体噴霧用ノズルを有するので、内容物を広範囲にわたって容易に噴霧することができる。
【図面の簡単な説明】
【図１】本発明の液体噴霧用ノズルを有するエアゾール型の液体噴霧容器の一実施態様を示す概略説明図である。
【図２】本発明の液体噴霧用ノズルを有するエアゾール型の液体噴霧容器の他の一実施態様を示す概略説明図である。
【図３】本発明の液体噴霧用ノズルを有するエアゾール型の液体噴霧容器の他の一実施態様を示す概略説明図である。
【図４】本発明の液体噴霧用ノズルを有するエアゾール型の液体噴霧容器の他の一実施態様を示す概略説明図である。
【図５】本発明の液体噴霧用ノズルを有するエアゾール型の液体噴霧容器の他の一実施態様を示す概略説明図である。
【図６】本発明の液体噴霧用ノズルを有するエアゾール型の液体噴霧容器の他の一実施態様を示す概略説明図である。
【図７】本発明の液体噴霧用ノズルを有するエアゾール型の液体噴霧容器の他の一実施態様を示す概略説明図である。
【図８】本発明の液体噴霧用ノズルを有するエアゾール型の液体噴霧容器の他の一実施態様を示す概略説明図である。
【図９】本発明の液体噴霧用ノズルを有するエアゾール型の液体噴霧容器の他の一実施態様を示す概略説明図である。
【図１０】本発明の液体噴霧用ノズルを有するエアゾール型の液体噴霧容器における押釦３の内部形状を示す概略説明図である。
【図１１】本発明の液体噴霧用ノズルを有するエアゾール型の液体噴霧容器の他の一実施態様を示す概略説明図である。
【図１２】本発明の液体噴霧用ノズルを有する手押し型の液体噴霧容器の一実施態様を示す概略説明図である。
【図１３】本発明の液体噴霧用ノズルを有する手押し型の液体噴霧容器の他の一実施態様を示す概略説明図である。
【図１４】本発明における噴霧角度の説明図である。
【符号の説明】
１  噴孔
２  ノズル
３  押釦
４  エアゾール型の液体噴霧容器
５  導通孔
６  ノズル管
７  噴霧ヘッド
８  手押し型の液体噴霧容器
【図１】
0004410337.tif 000004
【図２】
0004410337.tif 000005
【図３】
0004410337.tif 000006
【図４】
0004410337.tif 000007
【図５】
0004410337.tif 000008
【図６】
0004410337.tif 000009
【図７】
0004410337.tif 000010
【図８】
0004410337.tif 000011
【図９】
0004410337.tif 000012
【図１０】
0004410337.tif 000013
【図１１】
0004410337.tif 000014
【図１２】
0004410337.tif 000015
【図１３】
0004410337.tif 000016
【図１４】
0004410337.tif 000017